(57)【要約】【課題】検索対象の複数の画像から、指定された人物の顔を含む画像を検索する際の処理を簡単にし、容易に検索できるようにする。【解決手段】被写体の全体像を撮影するとともに、撮像素子の駆動範囲を動的に変更することにより検出された顔領域を含む顔画像を撮影し、全体画像と顔画像を関連付けて記憶する。顔画像は撮影時の環境条件に寄らずに一定の画質、向き、大きさになるように、撮影条件が調整され、撮影後加工される。指定された人物の顔を含む全体画像を検索する際は、顔画像の中から検索し、同一人物の顔と判定した場合は、その顔画像と関連付けられて記憶されている全体画像を表示する。【選択図】  図３
2008129703.tif 000002
【特許請求の範囲】
【請求項１】
撮像レンズを介して受光した被写体像を画像データに変換する撮像手段と、
前記画像データの中から人物の顔領域を検出する顔検出手段と、
撮像素子の駆動範囲を動的に変更する撮像駆動変更手段と、
撮影指示に基づき、被写体像の全体を全体画像として撮影するとともに、前記顔検出手段によって検出された顔領域を含む被写体像の一部分を前記撮像駆動変更手段を用いて顔画像として撮影する撮影手段と、
前記撮影手段により撮影された全体画像と顔画像を関連付けて記憶する記憶手段と、
前記記憶手段によって記憶された全体画像を再生表示する再生表示手段と、
前期再生表示手段によって再生表示された全体画像の中から任意の顔を指定する顔指定手段と、
前記顔指定手段によって指定された顔と同一人物の顔画像を、前記記憶手段によって記憶された顔画像の中から抽出する顔画像抽出手段と、を備え、
前記顔画像抽出手段によって抽出された顔画像と関連付けられた全体画像を前記再生表示手段により再生表示することを特徴とする撮像装置。
【請求項２】
撮影感度と焦点と露出とホワイトバランスを含む撮影パラメータを調整する撮影パラメータ調整手段を備え、
前記撮影パラメータ調整手段は、前記撮影手段によって撮影される顔画像が、被写体の環境条件に依存せずに基準となる画質となるように各パラメータを自動的に調整することを特徴とする請求項１に記載の撮像装置。
【請求項３】
撮影した画像の回転とサイズ変更を行う画像加工手段を備え、
前記画像加工手段は、前記記憶手段によって記憶される顔画像が、基準となる傾きと大きさになるように自動的に画像を加工することを特徴とする請求項１に記載の撮像装置。
【請求項４】
撮影前に予め前記顔指定手段により指定された顔と、撮影時に前記顔検出手段により検出された顔領域の顔とが、同一人物であるかどうかを判定する顔判定手段を備え、
前記顔判定手段が同一人物であると判断した場合は、前記撮影パラメータ調整手段は、その顔領域に対して最適な撮影パラメータを設定することを特徴とする請求項１に記載の撮像装置。
【請求項５】
撮像レンズを介して受光した被写体像を画像データに変換する撮像ステップと、
前記画像データの中から人物の顔領域を検出する顔検出ステップと、
撮像素子の駆動範囲を動的に変更する撮像駆動変更ステップと、
撮影指示に基づき、被写体像の全体を全体画像として撮影するとともに、前記顔検出ステップによって検出された顔領域を含む被写体像の一部分を前記撮像駆動変更ステップを用いて顔画像として撮影する撮影ステップと、
前記撮影ステップにより撮影された全体画像と顔画像を関連付けて記憶する記憶ステップと、
前記記憶ステップによって記憶された全体画像を再生表示する再生表示ステップと、
前期再生表示ステップによって再生表示された全体画像の中から任意の顔を指定する顔指定ステップと、
前記顔指定ステップによって指定された顔と同一人物の顔画像を、前記記憶ステップによって記憶された顔画像の中から抽出する顔画像抽出ステップと、を備え、
前記顔画像抽出ステップによって抽出された顔画像と関連付けられた全体画像を前記再生表示ステップにより再生表示することを特徴とする撮像方法。
【請求項６】
撮像レンズを介して受光した被写体像を画像データに変換する撮像ステップと、
前記画像データの中から人物の顔領域を検出する顔検出ステップと、
撮像素子の駆動範囲を動的に変更する撮像駆動変更ステップと、
撮影指示に基づき、被写体像の全体を全体画像として撮影するとともに、前記顔検出ステップによって検出された顔領域を含む被写体像の一部分を前記撮像駆動変更ステップを用いて顔画像として撮影する撮影ステップと、
前記撮影ステップにより撮影された全体画像と顔画像を関連付けて記憶する記憶ステップと、
前記記憶ステップによって記憶された全体画像を再生表示する再生表示ステップと、
前期再生表示ステップによって再生表示された全体画像の中から任意の顔を指定する顔指定ステップと、
前記顔指定ステップによって指定された顔と同一人物の顔画像を、前記記憶ステップによって記憶された顔画像の中から抽出する顔画像抽出ステップと、を備え、
前記顔画像抽出ステップによって抽出された顔画像と関連付けられた全体画像を前記再生表示ステップにより再生表示することを特徴とする撮像方法をコンピュータに実行させるプログラム。
【発明の詳細な説明】
【技術分野】
【０００１】
本発明は撮像装置、方法、およびプログラムに係り、特に動的に撮像素子の駆動範囲を変更して撮影することが可能であり、複数の画像の中から所望の人物を含む画像を検索する撮像装置、方法、およびプログラムに関する。
【背景技術】
【０００２】
複数の画像データの中から人物の顔画像を含む画像データを検索し、検索されて表示された画像データの中から顔画像データを抽出して基準顔画像データとし、その基準顔画像データを含む画像データを検索する技術が提案されている。
【特許文献１】特開２００５−１５７７６４号公報
【発明の開示】
【発明が解決しようとする課題】
【０００３】
しかしながら上記のシステムにおいては、基準顔画像データを含む画像データを検索する際、検索するたびに検索対象の画像データから顔検出を行っており、処理が煩雑であるという欠点があった。
【０００４】
本発明はこのような事情に鑑みてなされたもので、検索対象の複数の画像から、指定された人物の顔を含む画像を検索する際の処理を簡単にでき、容易に検索することができる撮像装置を提供する。
【課題を解決するための手段】
【０００５】
前記目的を達成するために本発明に係る撮像装置は、撮像レンズを介して受光した被写体像を画像データに変換する撮像手段と、前記画像データの中から人物の顔領域を検出する顔検出手段と、撮像素子の駆動範囲を動的に変更する撮像駆動変更手段と、撮影指示に基づき、被写体像の全体を全体画像として撮影するとともに、前記顔検出手段によって検出された顔領域を含む被写体像の一部分を前記撮像駆動変更手段を用いて顔画像として撮影する撮影手段と、前記撮影手段により撮影された全体画像と顔画像を関連付けて記憶する記憶手段と、前記記憶手段によって記憶された全体画像を再生表示する再生表示手段と、前期再生表示手段によって再生表示された全体画像の中から任意の顔を指定する顔指定手段と、前記顔指定手段によって指定された顔と同一人物の顔画像を、前記記憶手段によって記憶された顔画像の中から抽出する顔画像抽出手段と、を備え、前記顔画像抽出手段によって抽出された顔画像と関連付けられた全体画像を前記再生表示手段により再生表示することを特徴とする。
【０００６】
これにより、指定された顔と同一人物を含む全体画像を検索する際に、全体画像から顔検出を行う必要がなく、顔画像の中から同一人物の抽出を行えばよいため、検索の際の処理を簡単にでき、容易に検索することができる。
【０００７】
撮影感度と焦点と露出とホワイトバランスを含む撮影パラメータを調整する撮影パラメータ調整手段を備え、前記撮影パラメータ調整手段は、前記撮影手段によって撮影される顔画像が、被写体の環境条件に依存せずに基準となる画質となるように各パラメータを自動的に調整してもよい。
【０００８】
これにより、検索の基準及び対象となる顔画像が撮影時の環境条件に寄らずに一定の画質で記憶されるため、検索の際の処理を簡単にでき、容易に検索することができる。
【０００９】
撮影した画像の回転とサイズ変更を行う画像加工手段を備え、前記画像加工手段は、前記記憶手段によって記憶される顔画像が、基準となる傾きと大きさになるように自動的に画像を加工してもよい。
【００１０】
これにより、検索の基準及び対象となる顔画像が撮影時の環境条件に寄らずに一定の傾きと大きさで記憶されるため、検索の際の処理を簡単にでき、容易に検索することができる。
【００１１】
撮影前に予め前記顔指定手段により指定された顔と、撮影時に前記顔検出手段により検出された顔領域の顔とが、同一人物であるかどうかを判定する顔判定手段を備え、前記顔判定手段が同一人物であると判断した場合は、前記撮影パラメータ調整手段は、その顔領域に対して最適な撮影パラメータを設定してもよい。
【００１２】
これにより、撮影したい人物に対して最適な撮影パラメータを、自動的に得ることができる。
【００１３】
前記目的を達成するために本発明に係る撮像方法は、撮像レンズを介して受光した被写体像を画像データに変換する撮像ステップと、前記画像データの中から人物の顔領域を検出する顔検出ステップと、撮像素子の駆動範囲を動的に変更する撮像駆動変更ステップと、撮影指示に基づき、被写体像の全体を全体画像として撮影するとともに、前記顔検出ステップによって検出された顔領域を含む被写体像の一部分を前記撮像駆動変更ステップを用いて顔画像として撮影する撮影ステップと、前記撮影ステップにより撮影された全体画像と顔画像を関連付けて記憶する記憶ステップと、前記記憶ステップによって記憶された全体画像を再生表示する再生表示ステップと、前期再生表示ステップによって再生表示された全体画像の中から任意の顔を指定する顔指定ステップと、前記顔指定ステップによって指定された顔と同一人物の顔画像を、前記記憶ステップによって記憶された顔画像の中から抽出する顔画像抽出ステップと、を備え、前記顔画像抽出ステップによって抽出された顔画像と関連付けられた全体画像を前記再生表示ステップにより再生表示することを特徴とする。
【００１４】
前記目的を達成するために本発明に係る撮像方法をコンピュータに実行させるプログラムは、撮像レンズを介して受光した被写体像を画像データに変換する撮像ステップと、前記画像データの中から人物の顔領域を検出する顔検出ステップと、撮像素子の駆動範囲を動的に変更する撮像駆動変更ステップと、撮影指示に基づき、被写体像の全体を全体画像として撮影するとともに、前記顔検出ステップによって検出された顔領域を含む被写体像の一部分を前記撮像駆動変更ステップを用いて顔画像として撮影する撮影ステップと、前記撮影ステップにより撮影された全体画像と顔画像を関連付けて記憶する記憶ステップと、前記記憶ステップによって記憶された全体画像を再生表示する再生表示ステップと、前期再生表示ステップによって再生表示された全体画像の中から任意の顔を指定する顔指定ステップと、前記顔指定ステップによって指定された顔と同一人物の顔画像を、前記記憶ステップによって記憶された顔画像の中から抽出する顔画像抽出ステップと、を備え、前記顔画像抽出ステップによって抽出された顔画像と関連付けられた全体画像を前記再生表示ステップにより再生表示することを特徴とする。
【発明の効果】
【００１５】
本発明によれば、指定された顔と同一人物を含む全体画像を検索する際に、全体画像から顔検出を行う必要がなく、顔画像の中から同一人物の抽出を行えばよく、また顔画像が撮影時の環境条件に寄らずに一定の画質、向き、大きさで記憶されているため、検索の際の処理を簡単にでき、容易に検索することができる。
【発明を実施するための最良の形態】
【００１６】
以下、添付図面に従って本発明に係る撮像装置の第１の実施の形態について説明する。
【００１７】
図１（ａ）は本発明に係る撮像装置（デジタルカメラ）１を正面から見た図であり、同図１（ｂ）デジタルカメラ１を背面から見た図である。
【００１８】
このデジタルカメラ１は、静止画の撮影、動画の撮影及び撮影した画像を再生する機能を備えており、前面には、レリーズＳＷ２、ファインダー３、及び撮像レンズ４が、背面にはファインダー３の他、撮影モード切替ＳＷ５、ズームＳＷ６、十字キー７、メニュー／ＯＫボタン８、及び画像表示装置９が設けられている。
【００１９】
撮影モード切替ＳＷ５は、ＳＷの位置を変更することにより、オート撮影モード、マニュアル撮影モード、人物モード、風景モード及び夜景モード等の選択が可能なシーンポジション、動画撮像モード、及び画像再生モードのうちのいずれかを設定できるようになっている。
【００２０】
また、レリーズＳＷ２は、半押し時にＯＮしてフォーカスロック、測光等の撮影準備を行わせるスイッチＳ１と、全押し時にＯＮして画像の取り込みを行わせるスイッチＳ２とを有している。
【００２１】
画像表示装置９は、動画（スルー画）を表示して電子ビューファインダとして使用できるとともに、撮影した記録前の画像（プレビュー画像）やカメラに装填されたメモリカードから読み出した再生画像等を表示することができる。
【００２２】
また画像表示装置９は、ホワイトバランス、画像のピクセル数、感度等をマニュアル設定する際の各種のメニュー画面をメニュー／ＯＫボタン８の操作に応じて表示させ、十字キー７、及びメニュー／ＯＫボタン８の操作に応じてマニュアル設定項目の設定が可能なグラフィカル・ユーザ・インターフェース（ＧＵＩ）用の画面を表示する。更に、画像表示装置９は、後述するように顔領域のフレーム表示等も行う。
【００２３】
図２は図１に示したデジタルカメラ１の内部構成の一例を示すブロック図である。
【００２４】
デジタルカメラ１は、前述したレリーズＳＷ２、撮影モード切替ＳＷ５、ズームＳＷ６、十字キー７、及びメニュー／ＯＫボタン８を含む操作部１４、画像表示装置９の他、ＣＭＯＳセンサー１１、アナログ・フロントエンド回路１２、信号処理ＬＳＩ２１、記録メディア１３、から構成され、信号処理ＬＳＩ２１は、ＣＰＵ２２、ＲＡＭ２３、デジタル信号処理回路２４、表示系回路２５、メディア制御回路２６、Ａ／Ｄ変換器２７から構成されている。
【００２５】
信号処理ＬＳＩ２１は、操作部１４からの入力の処理、アナログ・フロントエンド回路１２からの信号処理、画像表示装置９への表示出力、記録メディア１３へのデータ記録等の、図示しないＲＯＭに格納された制御プログラムに従った処理を実行する。
【００２６】
撮影スタンバイ状態では、ＣＰＵ２２は、画像表示装置９に動画（スルー画）を表示させる。ユーザ（撮影者）は、画像表示装置９に表示されるスルー画を見ながらフレーミングしたり、撮影したい被写体を確認したり、撮影後の画像を確認したり、撮影条件を設定したりする。
【００２７】
上記撮影スタンバイ状態時にレリーズＳＷ２が押されると、Ａ／Ｄ変換器２７はこのスイッチ操作をデジタル信号に変換し、ＣＰＵ２２に入力する。これに伴いＣＰＵ２２はフォーカス制御、測光、露出制御を行い、ＣＭＯＳセンサー１１の受光面上に被写体像を結像させる。ＣＭＯＳセンサー１１は、受光面に結像された被写体像に対し、その光量に応じた電荷を蓄積し、増幅して電圧信号に変換する。
【００２８】
ＣＭＯＳセンサー１１から出力された電圧信号は、アナログ・フロントエンド回路１２内で相関二重サンプリングや増幅等のアナログ処理が施された後Ａ／Ｄ変換され、各画素ごとのデジタルのＲ、Ｇ、Ｂ信号に変換される。これらのＲ、Ｇ、Ｂ信号は、一旦信号処理ＬＳＩ２１のＲＡＭ２３に格納される。
【００２９】
デジタル信号処理回路２４は、上記ＲＡＭ２３に格納されたＲ、Ｇ、Ｂの生データを読み出し、これらに光源種に応じたデジタルゲインをかけることでホワイトバランス調整を行うとともに、ガンマ（階調特性）処理及びシャープネス処理を行ってＲ、Ｇ、Ｂ信号を生成し、更にＹＣ信号処理して輝度信号Ｙとクロマ信号Ｃｒ、Ｃｂ（ＹＣ信号）を生成し、そのＹＣ信号を再びＲＡＭ２３に格納する。
【００３０】
上記のようにしてＲＡＭ２３に格納されたＹＣ信号は、所定のフォーマットに圧縮されたのち、メディア制御回路２６を介してデジタルカメラ１に着脱自在な記録メディア１３に記録される。
【００３１】
また、画像表示装置９にスルー画が表示されている状態で、メニュー／ＯＫボタン８が押されると、画像表示装置９にメニュー画面が表示される。このメニュー画面が表示されている状態で、十字キー７を操作して撮影条件や画像サイズ等の所望の項目を選択したり、再度、メニュー／ＯＫボタン８を押すことで、選択項目の確定や処理の実行を指示することができる。
【００３２】
一方、撮影モード切替ＳＷ５を操作して再生モードが選択されると、記録メディア１３に記録されている最終コマの画像ファイルがメディア制御回路２６を介して読み出される。この読み出された画像ファイルの圧縮データは、デジタル信号処理回路２４により非圧縮のＹＣ信号に伸張される。伸張されたＹＣ信号は、表示系回路２５によって画像表示装置９に出力される。これにより、画像表示装置９には記録メディア１３に記録されている最終コマの画像が表示される。
【００３３】
その後、順コマ送りスイッチ（十字キー７の右キー）が押されると、順方向にコマ送りされ、逆コマ送りスイッチ（十字キー７の左キー）が押されると、逆方向にコマ送りされる。そして、コマ送りされたコマ位置の画像ファイルが記録メディア１３から読み出され、上記と同様にして画像が画像表示装置９に再生される。
【００３４】
次に、本発明に係る第１の実施の形態のデジタルカメラの撮影動作について、図３〜図７を用いて説明する。
【００３５】
図３は本発明に係る第１の実施の形態のデジタルカメラの撮影時の動作を示すフローチャートである。
【００３６】
前述したように、撮影スタンバイ状態でレリーズＳＷ２を半押しする（ステップＳ３１）とフォーカスロック及び測光を行うが、このとき同時に被写体中の人物の顔を検出する（ステップＳ３２）。顔検出については、肌色領域を特定し、被写体との距離と画面に占める割合から大きさを推定して顔と判定する方法が取られ、デジタル信号処理回路２４の信号をＣＰＵ２２が解析することにより行われる。
【００３７】
顔が検出されると、スルー画を表示している画像表示装置９において、検出された顔についてフレーム表示を行う。図４は、画像表示装置９において検出された顔についてフレーム表示を行っていることを示す図である。
【００３８】
その後レリーズＳＷ２が全押しされる（ステップＳ３３）と、全体画像の撮影を行う（ステップＳ３４）。図５（ａ）は撮影された全体画像を示す図である。
【００３９】
全体画像の撮影が完了すると、顔検出の結果について判定を行う（ステップＳ３５）。顔が検出されなかった場合は、撮影した全体画像を記録メディア制御回路２６を介して記録メディア１３に記録して終了するが、顔が検出された場合は、検出した顔領域に対してさらなる撮影を行う。
【００４０】
ＣＭＯＳセンサー１１は、Ｘ方向（横方向）、Ｙ方向（縦方向）に対してアドレス指定可能なシフトレジスタを有し、マトリクス状に配置されたＣＭＯＳセンサー１１に対して、アドレス指定された部分のみを取り込み領域とした部分読み出しが可能となっている。即ち、撮像素子の駆動範囲を動的に変更することが可能であり、これにより検出された顔領域を含む被写体像の一部分のみを撮影することが可能である。
【００４１】
まず、検出した顔領域を含む全体画像の一部分に対して撮像素子の駆動範囲を動的に変更し、撮像画角を調整する（ステップＳ３６）。即ち、検出された顔領域を含む全体画像の一部分に対してＣＭＯＳセンサー１１のＸ方向、Ｙ方向のアドレス選択を行う。図５（ｂ）は、Ｘ方向、Ｙ方向のアドレス選択された部分を示した図である。
【００４２】
次に、選択したアドレス部分に対してＣＭＯＳセンサー１１の出力を読み出し、フォーカスロックを行うと同時に、露出、ホワイトバランスの測定を行う。
【００４３】
このデジタルカメラ１は、顔画像が撮影環境条件に依存せずに常に同様な画質になるように、露出値及びホワイトバランス値の基準値を持っており、この基準値に対して測定した露出値、ホワイトバランス値が一致するかどうかの判定を行う（ステップＳ３７）。露出値が一致しなかった場合は、ＩＳＯ感度の設定変更を含む露出値の変更を行い、ホワイトバランス値が一致しなかった場合は、ホワイトバランスの補正値を変更する（ステップＳ３８）。露出値及びホワイトバランス値が基準値と一致したら、顔画像の撮影を行う（ステップＳ３９）。
【００４４】
この顔画像の撮影においては、前述したように動的に撮像素子の駆動範囲を変更することにより選択されたアドレス部分のみＣＭＯＳセンサー１１の出力を読み出しているので、撮影を高速に行うことができる。
【００４５】
図５（ｃ）は撮影された顔画像を示す図である。
【００４６】
全体画像内の全ての顔領域について撮影が行われたかを判定し、撮影未済の顔領域がある場合は、同様に顔領域の撮影を行う（ステップＳ４０）。図５（ｄ）は２人目の顔領域を含む部分がアドレス選択されたことを示す図であり、図５（ｅ）は撮影された２人目の顔画像である。また、図５（ｆ）は３人目の顔領域を含む部分がアドレス選択されたことを示す図であり、図５（ｇ）は撮影された３人目の顔画像である。
【００４７】
このように全体画像に複数の顔領域が存在する場合でも、動的に撮像素子の駆動範囲を変更することにより、高速に連写を行うことができる。
【００４８】
全ての顔画像の撮影が完了したら、顔画像の加工工程に移る。
【００４９】
まず１人目の顔画像から、顔画像に対する顔の角度（傾き）を調べる（ステップＳ４１）。このデジタルカメラ１は、後述する同一人物の判定が行いやすいように、顔の傾きを水平にして状態で顔画像として保存している。顔画像に対する顔の傾きの検出は、顔の輪郭や両目の位置を推定することにより行い、デジタル信号処理回路２４の信号をＣＰＵ２２が解析することにより行われる。もし顔が傾いている場合は、顔画像を回転させ、顔の傾きを水平にする（ステップＳ４２）。
【００５０】
次に、顔画像のサイズを一定にする。このデジタルカメラ１は、後述する同一人物の判定が行いやすいように、常に顔が同じサイズの状態で顔画像として保存しており、撮影した顔画像と基準の画像サイズの比較を行う（ステップＳ４３、ステップＳ４４）。基準サイズより大きい場合はサイズを縮小し（ステップＳ４５）、基準サイズより小さい場合はサイズを拡大する（ステップＳ４６）。
【００５１】
図７（ａ）は、１人目の顔画像が基準サイズより大きいと判断し、サイズを縮小したことを示す図である。
【００５２】
全ての顔画像について処理が終了したかどうかの判定を行い（ステップＳ４７）、終了していない場合は、別の顔画像の処理を行う（ステップＳ４１に戻る）。ここでは、２人目の顔画像の加工処理に移る。図６は、顔画像に対して顔が傾いていることが検出されたので、顔が水平になるように画像を回転させたことを示す図である。また図７（ｂ）は、２人目の顔画像のサイズが基準サイズより小さいと判断し、サイズを拡大したことを示す図である。
【００５３】
２人目の顔画像について処理が終了したら、３人目の顔画像について処理を行う。
【００５４】
図７（ｃ）は、３人目の顔画像のサイズが基準サイズより小さいと判断し、サイズを拡大したことを示す図である。
【００５５】
このように全ての顔画像についての処理が終了すると、メディア制御回路２６を介して記録メディア１３に画像が保存される（ステップＳ４８）。ここで、最初に撮影した全体画像と、全体画像撮影後に撮影された顔画像は、関連付けされて保存される。図８は、記録メディア１３内のデータ領域のイメージ図である。図８に示すように、全体画像と全体画像内に写っている３人の顔画像が関連付けされて保存される。
【００５６】
次に、本発明に係る第１の実施の形態のデジタルカメラの画像再生動作について、図９〜図１１を用いて説明する。
【００５７】
図９は本発明に係る第１の実施の形態のデジタルカメラの画像再生時の動作を示すフローチャートである。
【００５８】
前述したように、撮影モード切替ＳＷ５を操作して再生モードが選択されると、記録メディア１３に記録されている最終コマの画像が表示され、十字キー７を操作することにより、表示する画像を切り替えることができる（ステップＳ８１）。所望の全体画像を表示させた状態で、メニュー／ＯＫボタン８を押すと、表示させている全体画像が選択され、選択された全体画像内の顔選択画面になる（ステップＳ８２）。図１０は、画像再生時の画像表示装置９の表示を示した図であり、図１０（ａ）は、メニュー／ＯＫボタン８を押して顔選択画面へ移行した状態を示した図である。この状態では、左側の人物の顔がフレーム表示されている。
【００５９】
図１０（ａ）の状態から十字キー７を操作すると、別の人物の顔にフレームを移動させることができる（ステップＳ８３）。図１０（ｂ）は図１０（ａ）の状態から十字キー７の右キーを一度押した状態を示す図であり、中心の人物の顔がフレーム表示されている。
【００６０】
また図１０（ｃ）は図１０（ｂ）の状態からさらに十字キー７の右キーを一度押した状態を示す図であり、右側の人物の顔がフレーム表示されている。ここで十字キー７の左キーを一度押すと図１０（ｂ）の状態に戻る。
【００６１】
例えば左側の人物の顔がフレーム表示された図１０（ａ）の状態でメニュー／ＯＫボタン８を押すと、左側の人物の顔が選択される（ステップＳ８４）。顔が選択されると、ＣＰＵ２２は、記録メディア１３に保存されている顔画像データの中から、選択された顔と同一人物の顔画像を抽出する（ステップＳ８５）。同一人物の判定は、２つの顔画像の類似度を求めること等により行う。記録メディア１３に保存されている顔画像の中から、選択された顔と同一人物の画像を検出した場合（ステップＳ８６）は、検出された顔画像に関連付けされた全体画像を画像表示装置９に表示する（ステップＳ８７）。同一人物の顔画像が複数検出された場合は、全ての全体画像を表示する。
【００６２】
図１１は、選択された顔と同一人物の顔画像と関連付けされた全体画像が画像表示装置９に表示されている様子を示した図である。
【００６３】
ここでは図１１（ａ）と図１１（ｂ）の２枚の全体画像が検出されており、交互に表示されている。
【００６４】
このときの画像の表示の切り替えは、時間で区切ってもよいし、ユーザによるボタン操作でもよいし、または同時にサムネイル表示してもよい。
【００６５】
本発明に係る撮像装置の第２の実施の形態について説明する。
【００６６】
第２の実施の形態では、撮影前に予め設定した人物を、撮影時にスルー画内で検索し、同一人物を検出した場合にその人物に対してＡＥ・ＡＦ動作を行って撮影する。
【００６７】
図１２は、本発明に係る撮像装置の第２の実施の形態の撮影動作を示すフローチャートである。
【００６８】
まず撮影前に、すでに撮影され、記録メディア１３に記録されている全体画像の中から、指定したい人物を含んでいる全体画像を選択する（ステップＳ１１１）。前述したように、撮影モード切替ＳＷ５を操作して再生モードが選択されると、記録メディア１３に記録されている最終コマの画像が表示され、十字キー７を操作することにより、表示する画像を切り替えることができる。ここでメニュー／ＯＫボタン８を操作することにより、所望の全体画像を決定することができる。
【００６９】
次に、選択した全体画像に写っている顔の中から、所望の顔を選択する（ステップＳ１１２）。顔選択は、図１０で示した第１の実施の形態での顔選択と同様に、十字キー７を操作して顔のフレーム表示を移動させ、所望の顔がフレーム表示されたところでメニュー／ＯＫボタン８で決定する。ここでは、図１０（ａ）の顔を選択したとする。顔が選択されると、選択された顔データがＲＡＭ２３に展開される（ステップＳ１１３）。
【００７０】
次に、撮影モード切替ＳＷ５を操作して、撮影モードに移行する（ステップＳ１１４）。前述したように、撮影スタンバイ状態でレリーズＳＷ２を半押しする（ステップＳ１１５）とフォーカスロック及び測光を行うが、このとき同時に被写体中の人物の顔を検出する（ステップＳ１１６）。ここで、顔検出された被写体中の顔と、撮影前に選択された顔との相関比較を行い、同一人物の検出を行う（ステップＳ１１７）。即ち、ＣＰＵ２２がデジタル信号処理回路２４の信号を解析し、肌色領域を特定して被写体との距離と画面に占める割合から大きさを推定して顔検出を行い、ＲＡＭ２４に展開されている選択顔画像との相関比較をおこない、同一人物であるかどうかの判定を行う。
【００７１】
選択された顔と同一人物がいなかった場合は、通常のフォーカスロック及び測光を行う（ステップＳ１１９）。
【００７２】
選択された顔と同一人物が見つかった場合は、その検出された人物の顔をフレーム表示すると同時に、その人物の顔に合わせたフォーカスロック及び測光を行う（ステップＳ１１８）。図１３は、選択した顔と同一人物を検出してフレーム表示したときの画像表示装置９の表示を示す図である。
【００７３】
その後レリーズＳＷ２が全押しされる（ステップＳ１２０）と、全体画像の撮影が行われる（ステップＳ１２１）。このように、撮影したい人物に対して最適な撮影パラメータを、自動的に得ることができる。
【図面の簡単な説明】
【００７４】
【図１】図１（ａ）は本発明に係る撮像装置を正面から見た図であり、図１（ｂ）は背面から見た図である。
【図２】図２は本発明に係る撮像装置の内部構成の一例を示すブロック図である。
【図３】図３は本発明に係る撮像装置の第１の実施の形態の撮影時の動作を示すフローチャートである。
【図４】図４は検出された顔についてフレーム表示を行っていることを示す図である。
【図５】図５は撮影された全体画像及び顔画像を示す図である。
【図６】図６は顔画像の回転を示す図である。
【図７】図７は顔画像のリサイズを示す図である。
【図８】図８は記録メディア１３内のデータ領域のイメージ図である。
【図９】図９は本発明に係る撮像装置の第１の実施例の画像再生時の動作を示すフローチャートである。
【図１０】図１０は画像再生時の画像表示装置９の表示を示した図である。
【図１１】図１１は選択された顔と同一人物の顔画像と関連付けされた全体画像が画像表示装置９に表示されている様子を示した図である。
【図１２】図１２は本発明に係る撮像装置の第２の実施の形態の撮影動作を示すフローチャートである。
【図１３】図１３は選択した顔と同一人物を検出してフレーム表示したときの画像表示装置９の表示を示す図である。
【符号の説明】
【００７５】
１…撮像装置（デジタルカメラ）、５…撮影モード切替ＳＷ、７…十字キー、８…メニュー／ＯＫボタン、９…画像表示装置、１１…ＣＭＯＳセンサー、１３…記録メディア、２１…信号処理ＬＳＩ、２２…ＣＰＵ、２３…ＲＡＭ、２４…デジタル信号処理回路、２５…表示系回路、２６…メディア制御回路
【図１】
2008129703.tif 000003
【図２】
2008129703.tif 000004
【図３】
2008129703.tif 000005
【図４】
2008129703.tif 000006
【図５】
2008129703.tif 000007
【図６】
2008129703.tif 000008
【図７】
2008129703.tif 000009
【図８】
2008129703.tif 000010
【図９】
2008129703.tif 000011
【図１０】
2008129703.tif 000012
【図１１】
2008129703.tif 000013
【図１２】
2008129703.tif 000014
【図１３】
2008129703.tif 000015